(57)【要約】【課題】  蒸発源アセンブリ及びそれを用いた蒸着装置に関する。【解決手段】  蒸発源アセンブリ３０を構成する外部ハウジング５０はガイド８０ａを有していて、前記ガイドの延長線が同じ地点を向うシールド（ｓｈｉｅｌｄ）８０を有したり前記蒸発源アセンブリを構成する蒸発源６０、７０が有するノズル部の貫通ホールを所定の角度で傾けさせたりすることによって、前記それぞれの蒸発源から吐出される蒸着物質が被蒸着基板の同一の領域に蒸着されるように誘導することで、均一な粗さを有する薄膜を形成すると共に均一な厚さを有する薄膜を形成することができる。【選択図】            図３
2006249572.tif 000002
【特許請求の範囲】
【請求項１】
少なくとも一部が開口されて少なくとも二つ以上のセルで仕分けられる外部ハウジングと、
前記各セルの内部に位置するそれぞれの蒸発源と、を含め、
前記各セルの開口部の両側に位置し、前記外部ハウジングと繋がっていて、ガイドを有するシールドを備え、前記ガイドの延長線が同一地点に向かうことを特徴とする蒸発源アセンブリ。
【請求項２】
前記蒸発源の内少なくとも一つの蒸発源は地面に対して所定の角度に傾いていることを特徴とする請求項１に記載の蒸発源アセンブリ。
【請求項３】
前記蒸発源は、蒸着物質が吐出される開口部が被蒸着基板の同一地点に向かうことを特徴とする請求項２に記載の蒸発源アセンブリ。
【請求項４】
前記蒸発源は、同様な蒸着物質を有することを特徴とする請求項１に記載の蒸発源アセンブリ。
【請求項５】
前記蒸発源の内少なくとも一つの蒸発源は被蒸着基板の一面に形成される薄膜を形成する蒸着物質を有し、他の少なくとも一つの蒸発源は前記薄膜に含ませるための前記蒸着物質と異なる添加剤を有することを特徴とする請求項１に記載の蒸発源アセンブリ。
【請求項６】
少なくとも一部が開口されたセルを、少なくとも二つ以上を備える外部ハウジングと、
前記各セルの内部に位置するそれぞれの蒸発源と、を含め、
前記それぞれの蒸発源は前記セルの開口された方向と等しい一部が開口された貯蔵部と、
前記貯蔵部の開口された部分と繋がるボディーと前記ボディーを貫く貫通ホールとを備えるノズル部と、
前記ノズル部と前記貯蔵部とを囲む形態のハウジングと、
前記ハウジングと前記ノズル部との間に介在されている加熱部と、を備え、
前記ノズル部を成す貫通ホールは前記ハウジングの水平方向に対して所定の角度で傾いていることを特徴とする蒸発源アセンブリ。
【請求項７】
前記それぞれ蒸発源のノズル部を成す貫通ホールは被蒸着基板の同一地点に向かうことを特徴とする請求項６に記載の蒸発源アセンブリ。
【請求項８】
前記外部ハウジングは前記各セルの開口部の両側に位置して、被蒸着基板に向かうガイドを備えるシールドを含むことを特徴とする請求項６に記載の蒸発源アセンブリ。
【請求項９】
前記それぞれのシールドのガイドはその延長線が同一地点に向かうように、少なくとも一つのガイドは所定の角度で傾いていることを特徴とする請求項８に記載の蒸発源アセンブリ。
【請求項１０】
前記蒸発源の内少なくとも一つの蒸発源は被蒸着基板の一面に薄膜を形成する蒸着物質を有し、他の少なくとも一つの蒸発源は前記薄膜に含ませるための前記蒸着物質とは異なる添加剤を有することを特徴とする請求項６に記載の蒸発源アセンブリ。
【請求項１１】
請求項１または請求項６の蒸発源アセンブリを含むことを特徴とする蒸着装置。
【発明の詳細な説明】
【技術分野】
【０００１】
本発明は、蒸発源アセンブリ及び蒸着装置に関するもので、さらに詳しく説明すると、均一な薄膜が形成できる複数の蒸発源を有する蒸発源アセンブリ及び蒸着装置（ｅｖａｐｏｒａｔｉｎｇ  ｓｏｕｒｃｅ  ａｓｓｅｍｂｌｙ  ａｎｄ  ｄｅｐｏｓｉｔｉｏｎ  ａｐｐａｒａｔｕｓ  ｈａｖｉｎｇ  ｔｈｅ  ｓａｍｅ）に関する。
【背景技術】
【０００２】
近来、高度情報化時代に伴い、迅速かつ正確な情報を手に得ようとする消費者の要求はますます高まり、軽薄で携帯性が良く情報処理速度も早いディスプレー装置についての開発が急速に進められている。その中でも、有機電界発光素子は有機発光層を含む有機膜に電圧を印加することによって電子及び正孔が有機発光層内で再結合し光を発生する自己発光型である。よって、ＬＣＤのようなバックライトは必要でなく軽量薄型であると共に、工程を単純化させることもできる。応答速度はＣＲＴと同一レベルであり、低電圧駆動、高い発光効率、及び広い視野角によって次世代ディスプレーとして脚光を浴びている。
【０００３】
ここで、前記有機膜は、特に有機発光層の材料によって低分子型有機電界発光素子と高分子型有機電界発光素子とに分類される。
【０００４】
前記高分子型有機電界発光素子は、陽極と陰極との間に有機発光層からなった断層構造であるか、または正孔輸送層を含む二重構造からなるので、厚さが薄い層の有機電界発光素子が製造でき、また前記有機膜は湿式コーティングによって形成できるので常圧下でも製造可能であり生産工程の費用を節減できるが、有機溶媒による有機膜が損傷され素子の寿命が低下することもある。
【０００５】
一方、前記低分子型有機電界発光素子は、陽極と陰極との間に機能が互いに異なる多層の低分子型有機膜で形成されていて電荷の蓄積が起きないようにドーピングしたり、適切なエネルギー源を有する物質に代替させたりすることによって調節が可能であるため素子の安定性が優れる。また、前記低分子型有機膜は、主に蒸着によって形成されるので有機溶媒による有機膜が損傷されることを防止でき、素子の寿命の低下を防止することができる。
【０００６】
前記蒸着は、真空で低分子有機物質を形成する薄膜を製造する場合において、形成しようとする形状の開口部を有するシャドーマスクパターン（ｓｈａｄｏｗ  ｍａｓｋ  ｐａｔｔｅｒｎ）を基板の前に整列して、基板に有機物質を蒸着することによって前記基板上に必要とする形状の有機薄膜を形成することができる。
【０００７】
ここで、前記のような真空蒸着により有機電界発光素子の有機膜層または電極層を形成する場合において、一つまたは二つの以上の物質を同時に空蒸着するために複数の蒸発源を有する蒸着装置が必要となる。
【０００８】
この場合、複数の蒸発源から放出する有機物質が前記基板に均一に混合されて形成されなかったり、均一な厚さを有する薄膜が形成されなかったりして有機電界発光素子の安全性及び性能が低下することもある。ここで、前記基板が大型化されるほど、均一な薄膜を形成することが難しくなる。
【０００９】
特許文献１には、複数の蒸発源１を用いた同時蒸着にあって、均一に混合された薄膜蒸着のための蒸発領域調節装置が開示されている。
【００１０】
図１は、従来技術による複数の蒸発源を備えた蒸着装置をさらに詳しく説明するものである。
【００１１】
図１を参照すると、前記蒸発源間に領域調節板２を備えて、前記蒸発源を収納しているハウジング３の開口部０の大きさを制御することによって、前記蒸発源から吐出される蒸着物質の吐出方向を限定して被蒸着基板（Ｓ）に均一な薄膜を形成できるものとして提案している。しかしながら、前記特許では、蒸発源から吐出される蒸着物質の方向を限定する領域調節板２及び開口部０の大きさを制御するのは容易なことではない。
【特許文献１】大韓民国特許登録第０７１５９５号明細書
【発明の開示】
【発明が解決しようとする課題】
【００１２】
本発明の目的は、前記従来技術の問題点を解決するために案出されたものであり、本発明は複数の蒸発源から放出される蒸着物質が被蒸着基板の同一領域に照射して均一な薄膜を形成することができる蒸発源アセンブリ及びそれを用いた蒸着装置を提供することにある。
【課題を解決するための手段】
【００１３】
前記技術的課題を解決するための本発明の一態様は、蒸発源アセンブリを提供することである。前記蒸発源アセンブリは、少なくとも一部が開口される、少なくとも二つ以上のセルとして仕分けられた外部ハウジングを備える。前記各セルの内部にそれぞれの蒸発源がそれぞれ位置する。この場合、前記各セルの開口部の両側に位置して、前記外部ハウジングに繋がってガイドを有するシールドを備え、前記ガイドの延長線は同一地点に向いていることを特徴とする。これによって、前記それぞれの蒸発源から吐出される蒸着物質が被蒸着基板の同一面に照射できる。
【００１４】
ここで、前記蒸発源の内少なくとも一つの蒸発源は、地面に対して所定の角度で傾いていることが好ましい。この場合、前記蒸発源は蒸着物質が吐出される開口部が被蒸着基板の同一地点に向いていることがさらに好ましい。
【００１５】
また、前記蒸発源は同じ蒸着物質を有することができる。または前記蒸発源の内少なくとも一つの蒸発源は被蒸着基板の一面に薄膜を形成する蒸着物質を有し、他の少なくとも一つの蒸発源は前記薄膜に含ませるための前記蒸着物質とは異なる添加剤を有することもある。
【００１６】
前記技術的課題を解決するために本発明の他の一態様は、蒸発源アセンブリを提供する。前記蒸発源アセンブリは、少なくとも一部が開口され、少なくとも二つ以上のセルとして仕分けられる外部ハウジングが位置する。前記各セル内部にそれぞれの蒸発源が位置する。
【００１７】
前記それぞれの蒸発源は、前記セルの開口された方向と同様な一部分が開口された貯蔵部と、前記貯蔵部の開口された部分と繋がるボディーと、前記ボディーを貫く貫通ホールを有するノズル部と、前記ノズル部と前記貯蔵部とを囲む形態のハウジングと、前記ハウジングと前記ノズル部との間に介在されている加熱部を備え、前記ノズル部を成す貫通ホールは前記ハウジングに対して所定の角度で傾いていることを特徴とする。
【００１８】
ここで、前記それぞれの蒸発源の前記ノズル部を成す貫通ホールは被蒸着基板の同一地点に合わせるのが好ましい。
【００１９】
前記外部ハウジングは、前記各セルの開口部の両側に位置して、被蒸着基板に向かうガイドを有するシールド（ｓｈｉｅｌｄ）を含むことができる。この場合、前記それぞれのシールドのガイドはその延長線が同一地点に向かうように、少なくとも一つのガイドは所定の角度で傾いていることが好ましい。
【００２０】
さらに、前記技術的課題を解決するために本発明の他の一態様は、前記蒸発源アセンブリを含む蒸着装置を提供する。
【発明の効果】
【００２１】
本発明は、少なくとも二つの蒸発源を備えて蒸着する蒸発源アセンブリにあって、前記それぞれの蒸発源から放出する蒸着物質が被蒸着基板の同一領域に蒸着されることによって、均一な粗さを有する薄膜を形成すると共に、均一な厚さを有する薄膜を形成することができる。
【００２２】
これによって、均一な特性を有することができ、さらに安定した素子を製造することができる。
【発明を実施するための最良の形態】
【００２３】
以下、本発明による蒸発源アセンブリ及びこれを用いた蒸着装置の図面を参照して詳しく説明する。次に説明される実施形態は当業者に本発明の思想が充分に理解できるようにするための例として提供される。したがって、本発明は以下に説明される実施形態には限定されず、他の形態で具体化されることもある。そして、図面において、装置の大きさ及び厚さなどは便宜のために誇張して表現されるものもある。明細書の全般にかけて同一参照番号は同一構成要素を現わす。
【００２４】
図２は本発明の実施形態による蒸着装置を説明するための図である。
【００２５】
図２を参照すると、本発明の実施形態による蒸着装置１０は前記蒸着装置１０のボディーを成すチャンバ２０と、被蒸着基板（Ｓ）の一面に蒸着物質の粒子を噴射させるための少なくとも一つ以上の蒸発源を有する蒸発源アセンブリ３０と、前記蒸発源アセンブリ３０を地面に対して垂直方向に移動させることができる蒸発源アセンブリ移送手段４０を有する構造からなる。
【００２６】
前記チャンバ２０は、図に示されていない真空ポンプによって内部が真空状態を維持するようになっている。そして、チャンバ２０内部には蒸発源アセンブリ３０を地面に対して垂直方向に移動できる蒸発源アセンブリ移送手段４０が設けられて蒸発源アセンブリ３０を蒸着方向に移動させるようになっている。
【００２７】
前記蒸発源アセンブリの移送手段４０は、真空で維持されるチャンバ２０内での使用に適した垂直移送装置として、工程条件に従って蒸発源アセンブリ３０の移動速度を調節することができる。
【００２８】
一方、チャンバ２０の内部に位置する被蒸着基板（Ｓ）は蒸着物質の蒸着のためにおおよそ垂直方向に位置する。
【００２９】
そして、被蒸着基板（Ｓ）の全面、すなわち蒸発源アセンブリ３０と被蒸着基板（Ｓ）との間には蒸着される蒸着物質の形状を決めるマスクパターン（Ｍ）が設けられる。したがって、蒸発源３０から蒸発された蒸着物質はマスクパターン（Ｍ）を通って被蒸着基板（Ｓ）上に蒸着されて所定形状の薄膜が被蒸着基板（Ｓ）上に形成できるようにする。
【００３０】
一方、蒸発源アセンブリ３０は、少なくとも二つを有する蒸発源を備えて、チャンバ２０内部の被蒸着基板（Ｓ）上に蒸着しようとする蒸着物質を収容し、収容された蒸着物質を加熱して蒸発させた後、これを被蒸着基板（Ｓ）上に噴射して被蒸着基板（Ｓ）上に薄膜が形成できるような機能を有する。ここで、前記蒸着物質は有機電界発光素子の有機膜形成物質または電極形成物質でもある。
【００３１】
図３は本発明の実施形態による二つの蒸発源を有する蒸発源アセンブリ３０の斜視図である。この実施形態では二つの蒸発源を有する蒸発源アセンブリに関して説明するが、これに限定されず、前記蒸発源アセンブリは三つ以上の複数の蒸発源を有することができる。
【００３２】
図３を参照すると、本発明の実施形態による前記蒸発源アセンブリ３０は外部ハウジング５０の内部に第１蒸発源６０と第２蒸発源７０を有する。
【００３３】
前記外部ハウジング５０は、前記蒸発源６０、７０を支持する支持体として、前記蒸発源から発生する熱が外部に伝導されることを防ぐため冷却板からなっていることが好ましい。ここで、前記冷却板は冷媒を用いて前記蒸発源の内部の熱をクーリングすることができる。
【００３４】
ここで、前記外部ハウジング５０は、前記蒸発源から蒸着物質が噴射される入口に蒸着物質の蒸着方向を導いてくれるガイド８０ａを含むシールド（ｓｈｉｅｌｄ）８０を備える。これによって、前記蒸発源から放出された蒸着物質が前記シールドにより反射されて前記蒸発源アセンブリを汚染するのを防ぐことができる。また、前記蒸着物質が放射される幅を制限することができ本発明のように少なくとも二つ以上の蒸発源を有する場合にあっては、前記それぞれの蒸発源から前記基板に蒸着する領域が常に重畳されるようにして、前記基板に均一な薄膜を形成するとともに、影効果（ｓｈａｄｏｗ  ｅｆｆｅｃｔ）を減少させることができる。
【００３５】
ここで、前記シールド８０は、前記外部ハウジング５０から独立させて分離及び交替が可能である。また、前記シールド８０は蒸着物質がその表面に付いた後、再び落ちないようにサンディング（ｓａｎｄｉｎｇ）されたステンレス鋼の物質からなるのが好ましい。これによって、前記シールドに吸着された物質が蒸着工程の際に落とされて被蒸着基板に蒸着されるのを防ぐことができる。
【００３６】
一方、前記第１蒸発源６０と前記第２蒸発源７０とは同様な蒸着物質を有することもあり、垂直に移動しながら均一な厚さを有する薄膜を被蒸着基板上に形成することができ、特に大型基板の適用に有効である。
【００３７】
他方、前記第１蒸発源６０と前記第２蒸発源７０とは相異なる蒸着物質を有することもある。よって、蒸着工程の間に二つの蒸着物質を混合して前記被蒸着基板（Ｓ）上に蒸着するので前記被蒸着基板に形成された薄膜は均一な粗さを有することができる。すなわち、前記第１蒸発源６０は被蒸着基板の一面に薄膜を形成する蒸着物質を噴射する蒸発源である。これとは異なって、第２蒸発源７０は前記薄膜の特性を改善させるための添加剤を前記薄膜に含ませる蒸発源である。
【００３８】
このように、複数の蒸発源を有する蒸発源アセンブリにあって、均一な薄膜を形成するためには各蒸発源から放射する蒸着物質は前記被蒸着基板の同一地点に照射するように誘導するのが好ましい。これによって、均一な厚さ及び均一な粗さを有する薄膜を形成することができる。
【００３９】
図４及び図５は、本発明の実施形態による図３の蒸発源アセンブリをＩ−Ｉ′で切断した断面図であり、蒸着物質が被蒸着基板（Ｓ）の同一地点に照射されるように誘導する実施形態を説明するための図である。ここで、図には示されてないが、前記それぞれの蒸発源は蒸着物質を貯蔵して、一部が開口された貯蔵部と、前記貯蔵部の開口された部分と繋がって蒸着物質を噴射するノズル部と、前記ノズル部と前記貯蔵部を囲む形態のハウジングと、前記ノズル部と前記ハウジングとの間に介在されている加熱部を備えることができる。
【００４０】
図４を参照すると、本発明の蒸発源アセンブリは外部ハウジング５０が位置して、前記外部ハウジングは少なくとも一部が開口された開口部を備える二つのセルとして分けられて、第１セル５０ａには第１蒸発源６０が支持台９０によって固定されていて、第２セル５０ｂには第２蒸発源７０が支持台１００によって固定されている。
【００４１】
前記外部ハウジング５０は、それぞれのセルに位置するガイド８０ａを有するシールド（ｓｈｉｅｌｄ）８０を備える。この場合、前記それぞれのセルに位置するガイド８０ａを外部ハウジング５０の水平方向に対して所定の角度で傾けることになるが、前記それぞれのセルに位置するガイド８０ａの延長線を前記被蒸着基板（Ｓ）の同一地点に合わせることが好ましい。これによって、前記ガイド８０ａの誘導に従って前記それぞれの蒸発源から吐出される蒸着物質が前記被蒸着基板（Ｓ）の同一領域（ａ）に蒸着できる。この場合、前記ガイド８０ａが前記外部ハウジングの水平方向に対して所定の角度で傾いてなかったり、前記ガイド８０ａが傾いていても、それぞれのセルに位置するガイド８０ａの延長線が一致していなかったりすれば被蒸着基板（Ｓ）の同一地点に蒸着物質を蒸着することができなくなり、均一な薄膜を形成することができない。
【００４２】
また、前記複数のセルの内いずれか一つのセルに位置するガイド８０ａ間の幅を調節して前記蒸発源から放出する蒸着物質の蒸着幅を制御することができる。これによって、前記それぞれの蒸発源から吐出された蒸着物質が被蒸着基板の同一領域（ａ）を外れる領域に蒸着するのを前記シールドで遮断することができる。よって、前記それぞれの蒸発源から吐出される蒸着物質を前記被蒸着基板の同一領域（ａ）にさらに精巧に蒸着させることができる。
【００４３】
前記シールド８０は、前記外部ハウジング５０に独立して分離及び交替することができる。これによって、前記シールド８０が汚染された際は交替、あるいは着脱することで、洗浄し易く再び組立てて使用することができる。また、前記シールド８０は手軽に分離及び交替ができるので、前記それぞれの蒸発源から吐出される蒸着物質が前記被蒸着基板（Ｓ）の同一領域上に蒸着するようにアライメントの際に多様な形態を有するシールド８０を交替しながら簡単に制御することができる。
【００４４】
ここで、前記シールド８０は蒸着物質がその表面に付着した後、再び落ちないようにサンディング（ｓａｎｄｉｎｇ）させたステンレス鋼の物質からなるのが好ましい。これによって、蒸着工程の際、前記シールド８０から蒸着物質が落ちて前記被蒸着基板に蒸着されるのを防ぐことができて均一な薄膜を形成することができる。
【００４５】
一方、前記第１蒸発源６０と前記第２蒸発源７０とは同様な蒸着物質を有することもあり、垂直に移動しながら均一な薄膜を基板上に蒸着することができる。
【００４６】
または、前記第１蒸発源６０と前記第２蒸発源７０とは相異なる蒸着物質を有していて、蒸着工程間に二つの蒸着物質を混合して前記被蒸着基板（Ｓ）に蒸着することができる。すなわち、前記第１蒸発源６０は被蒸着基板（Ｓ）の一面に形成される薄膜を形成する蒸着物質を有する蒸発源である。これとは異なって、第２蒸発源７０は前記薄膜の特性を改善するために前記薄膜に含ませる添加物を有する蒸発源である。
【００４７】
前記外部ハウジング５０は冷媒を用いてその内部に位置する蒸発源から放出する熱が外部に放出するのを防ぐための冷却板からなる。
【００４８】
さらに、図５のように、二つの蒸発源から放出される蒸着物質が前記被蒸着基板の同一領域上に蒸着するために前記二つの蒸発源の内少なくとも一つの蒸発源の角度を調節して、前記蒸発源は蒸着物質が吐出される開口部が前記基板の同一地点（ａ′）に向かうようにするのがさらに好ましい。これによって、前記蒸発源から放出する蒸着物質の方向を制御することがさらに容易になる。
【００４９】
この場合、前記蒸発源の角度は、角度調節手段によって調節できる。前記角度調節手段は角度調節用支持台９０、１００を用いることができる。よく見ると、第１蒸発源６０はその両側に高さが異なる第１支持台９０ａと第２支持台９０ｂからなった角度調節用支持台９０に固定することによって、前記第１蒸発源を所定の角度で調節し、前記第１蒸発源から放出する蒸着物質の蒸着方向を変えることができる。
【００５０】
また、第２蒸発源７０はその両側に高さが異なる第１支持台１００ａと第２支持台１００ｂからなった角度調節用支持台１００によって固定することによって、前記第２蒸発源を所定の角度で調節して前記第２蒸発源から放出する蒸着物質の蒸着方向を変えることができる。
【００５１】
ここで、前述のように、少なくとも一つの蒸発源の角度を調節したり、二つの蒸発源の角度を調節して前記蒸発源が前記被蒸着基板（Ｓ）の同一地点（ａ′）に向けたりするようにできて、結局各蒸発源から放出する蒸着物質が前記被蒸着基板（Ｓ）の同一領域（ａ）にさらに精巧に蒸着することができる。
【００５２】
図６は本発明の他の実施形態による図３の蒸発源アセンブリをＩ−Ｉ′で切断した断面図であり、蒸着物質が被蒸着基板（Ｓ）の同一地点に照射するように誘導する実施形態を説明するための図である。この場合、本発明では二つのセルとそれぞれのセルに二つの蒸発源を備える蒸発源アセンブリに対して限定して説明しているが、前記蒸発源アセンブリは三つ以上の複数のセルと複数の蒸発源を有することができる。
【００５３】
図６を参照すると、本発明の蒸発源アセンブリは第１セル１００ａと第２セル１００ｂとで分離された外部ハウジング１００が位置する。前記第１セル１００ａには第１蒸発源２００が位置して、前記第２セル１００ｂには第２蒸発源３００が位置する。
【００５４】
前記蒸発源２００、３００は蒸着物質を貯蔵して、一部が開口された貯蔵部２１０、３１０と、前記貯蔵部２１０、３１０の開口された部分と繋がって蒸発された蒸着物質を噴射するノズル部２２０、３２０と、前記貯蔵部２１０、３１０及び前記ノズル部２２０、３２０を囲む形態のハウジング２３０、３３０と、前記貯蔵部２１０、３１０と前記ハウジング２３０、３３０との間に介在されている加熱部を有する構造からなる。
【００５５】
前記ノズル部２２０、３２０は、前記貯蔵部３１０から蒸発される蒸着物質の粒子をおおよそ垂直で立ててある被蒸着基板（Ｓ）の一面に噴射して、前記蒸着物質の粒子が前記被蒸着基板（Ｓ）の一面に蒸着、分布される形態を決める役目をする。
【００５６】
この場合、前記ノズル部２２０、３２０は前記ノズル部を成すボディー２２１、３２１と、前記ボディーを貫く貫通ホール２２２、３２２からなる。ここで、前記ノズル部を成す貫通ホール２２２、３２２を通って前記貯蔵部２１０、３１０から蒸発された蒸着物質が外部、すなわち被蒸着基板（Ｓ）に向けて放出される。ここで、前記貫通ホール２２２、３２２は前記ハウジング２３０、３３０に対して所定の角度で傾いていることもある。この場合、前記貫通ホールの傾きによって前記蒸発源から放出される蒸着物質の蒸着方向が調節できる。この場合、前記それぞれ蒸発源内に備えられた前記それぞれノズル部の貫通ホール２２２、３２２は、被蒸着基板の一地点に向いているのがさらに好ましい。これによって、前記被蒸着基板（Ｓ）に前記各蒸発源から放出した蒸着物質が同一領域（ｂ）に蒸着できるように誘導することができ、均一な薄膜を形成することができる。
【００５７】
また、前記ノズル部２２０、３２０は、熱伝導度が優れた黒鉛（ｇｒａｐｈｉｔｅ）、またはこの等価物からなることができるが、本発明でその材質を限定するのではない。また、前記ノズル部２２０、３２０は、開口された形態によって蒸着物質粒子の噴射される形態が調節可能なので、前記貯蔵部２１０、３１０内の有機物の均一な蒸発が可能となるように制御することができる。
【００５８】
前記貯蔵部２１０、３１０は前記被蒸着基板（Ｓ）上に蒸着しようとする蒸着物質を貯蔵する部分として、一般的にるつぼからなる。また、前記貯蔵部２１０、３１０は熱伝導度が優れた黒鉛（ｇｒａｐｈｉｔｅ）、またはこの等価物からなることができるが、本発明ではその材質を限定するものではない。
【００５９】
前記貯蔵部２１０、３１０からクラスタ（ｃｌｕｓｔｅｒ）型の蒸着物質が飛ぶことを防ぐために前記貯蔵部の開口された一面の隣接した領域、または前記ノズル部のボディーに位置する飛び防止膜をさらに備えることができる。
【００６０】
前記ハウジング（ｈｏｕｓｉｎｇ）２２０、３３０は、前記貯蔵部３１０を囲む形態となり、前記貯蔵部３１０を外部環境と隔離する役目をする。
【００６１】
前記加熱部２４０、３４０は前記貯蔵部２１０、３１０と前記ハウジング２３０、３３０との間に介在されて前記貯蔵部３１０に貯蔵された蒸着物質の蒸発ができるように加熱する役目をする。
【００６２】
また、前記蒸発源２００、３００は前記ハウジング２３０、３３０の内壁に付着する内部熱反射板２５０、３５０をさらに有することもできる。前記内部熱反射板２５０、３５０は前記加熱部２４０、３４０で発生される熱を反射して、前記加熱部２４０、３４０の熱効率を増加させるためのものである。
【００６３】
また、前記蒸発源２００、３００は前記ノズル部２２０、３２０の外部面に付着する熱遮断手段２６０、３６０をさらに備えることができる。前記熱遮断手段２６０、３６０は前記ノズル部２２０、３２０を通って熱が放出されて前記被蒸着基板（Ｓ）に影響を与えるのを防ぐ。
【００６４】
ここで、一方、前記第１蒸発源２００と前記第２蒸発源３００とは同様な蒸着物質を有することもあり、垂直に移動しながら均一な薄膜を被蒸着基板（Ｓ）上に蒸着することができる。または前記第１蒸発源２００と前記第２蒸発源３００とは相異なる蒸着物質を有していて、蒸着工程の間に二つの蒸着物質を混合して前記被蒸着基板に蒸着することができる。
【００６５】
ここで、前記各蒸発源のセルに位置するガイドを有するシールド２７０をさらに備えることによって、前述したように、前記それぞれの蒸発源から放出される蒸着物質の蒸着方向及び蒸着幅を調節して、前記被蒸着基板の同一領域で蒸着物質が蒸着できるようにさらに精巧に誘導することができる。
【００６６】
これによって、前記それぞれの蒸発源から放出される蒸着物質は、前記ハウジングの水平方向に対して所定の角度で傾いた貫通ホールを介して前記被蒸着基板の同一蒸着領域（ｂ）に蒸着される。この場合、前記被蒸着基板、または前記蒸発源アセンブリを移動させることによって、均一な薄膜を形成することができる。
【００６７】
上述では、本発明の好ましい実施の形態を参照しながら説明したが、当該技術分野の熟練した当業者は、添付の特許請求範囲に記載された本発明の思想及び領域から逸脱しない範囲で、本発明を多様に修正及び変更させることができる。
【産業上の利用可能性】
【００６８】
本発明は有機電界発光ディスプレーの製造に利用することができる。
【図面の簡単な説明】
【００６９】
【図１】従来技術として複数の蒸発源を用いた蒸着装置を説明するための図である。
【図２】本発明の実施形態による蒸着装置を説明するための図である。
【図３】本発明の実施形態による二つの蒸発源を有する蒸発源のアセンブリの斜視図である。
【図４】本発明の実施形態による図３の蒸発源アセンブリをＩ−Ｉ′に切断した断面で、蒸着物質が被蒸着基板の同一地点に照射するように誘導する実施形態を説明するための図である。
【図５】本発明の実施形態による図３の蒸発源アセンブリをＩ−Ｉ′に切断した断面で、蒸着物質が被蒸着基板の同一地点に照射するように誘導する実施形態を説明するための図である。
【図６】本発明の他の実施形態による図３の蒸発源アセンブリをＩ−Ｉ′に切断した断面で、蒸着物質が被蒸着基板の同一地点に照射するように誘導する実施形態を説明するための図である。
【符号の説明】
【００７０】
１０：蒸着装置
２０：チャンバ
３０：蒸発源アセンブリ
４０：蒸発源アセンブリ移送手段
６０、２００：第１蒸発源
７０、３００：第２蒸発源
８０：シールド（ｓｈｉｅｌｄ）
９０、１００：角度調節支持台
２２０、３２０：ノズル部
２２１、３２１：貫通ホール
【図１】
2006249572.tif 000003
【図２】
2006249572.tif 000004
【図３】
2006249572.tif 000005
【図４】
2006249572.tif 000006
【図５】
2006249572.tif 000007
【図６】
2006249572.tif 000008